(57)【特許請求の範囲】
【請求項１】
入力信号に基づいて、第１基準電圧源と出力ポートとの導通状態を定める第１トランジスタと、
前記入力信号に基づいて、第２基準電圧源と前記出力ポートとの導通状態を定める第２トランジスタと、
所望のデューティ比を有するデューティ比信号を出力して、前記デューティ比信号に基づいて前記第１トランジスタまたは前記第２トランジスタの一方を導通させる制御部と、
前記デューティ比信号が前記第１トランジスタおよび前記第２トランジスタに入力された場合に、前記デューティ比信号のデューティ比に基づいて、前記出力ポートから出力された出力電圧を用いて、所定の定電圧を生成する定電圧回路と、
前記出力ポートから出力された電流の電流値に対応する対応電圧を与える抵抗体と、
前記対応電圧と所定の比較電圧とを比較して、前記対応電圧と前記所定の比較電圧との差分に対応するアナログ信号を出力するコンパレータと、
前記デューティ比信号または前記アナログ信号の一方を前記入力信号として、前記第１トランジスタに出力させる切替部と
を備え、
前記第１トランジスタは、前記切替部が前記アナログ信号を前記第１トランジスタに出力させた場合、前記アナログ信号に応じて、前記出力ポートから出力される出力電流を変動させることを特徴とする電源供給回路装置。
【請求項２】
前記第１基準電圧源は、所定の正電圧を供給し、
前記第２基準電圧源は、アースであることを特徴とする請求項１に記載の電源供給回路装置。
【請求項３】
前記定電圧回路は、
前記出力ポートから出力された出力電圧に基づいて荷電コンデンサと、
前記コンデンサの電圧を分圧する２つの抵抗体と
を有し、
前記制御部は、前記２つの抵抗体によって分圧された電圧がフィードバックされ、フィードバックされた電圧に基づいて、前記デューティ比信号のデューティ比を調整することを特徴とする請求項１に記載の電源供給回路装置。
【請求項４】
前記切替部は、
前記デューティ比信号を前記第１トランジスタに供給するか否かを定める第１スイッチと、
前記アナログ信号を前記第１トランジスタに供給するか否かを定める第２スイッチと、
前記第１スイッチまたは前記第２スイッチのいずれか一方をオンにする回路切替部と
を有することを特徴とする請求項１に記載の電源供給回路装置。
【請求項５】
前記切替部は、前記出力ポートの出力を、前記定電圧回路に供給するか否かを定める第３スイッチをさらに有し、
前記回路切替部は、前記第１スイッチをオンにし、且つ前記第２スイッチをオフにするとき、前記第３スイッチをオンにすることを特徴とする請求項４に記載の電源供給回路装置。
【請求項６】
外部に形成された回路と協働して、定電流を供給する集積回路装置であって、
入力信号に基づいて、第１基準電圧源と出力ポートとの導通状態を定める第１トランジスタと、
前記入力信号に基づいて、第２基準電圧源と前記出力ポートとの導通状態を定める第２トランジスタと、
所望のデューティ比を有するデューティ比信号を出力して、前記デューティ比信号に基づいて前記第１トランジスタまたは前記第２トランジスタの一方を導通させる制御部と、
前記出力ポートから出力された電流の電流値に対応する対応電圧と所定の比較電圧とを比較して、前記対応電圧と前記所定の比較電圧との差分に対応するアナログ信号を出力するコンパレータと、
前記デューティ比信号または前記アナログ信号の一方を前記入力信号として、前記第１トランジスタに出力する切替部と
を備え、
前記第１トランジスタおよび前記第２トランジスタは、前記切替部が前記デューティ比信号を前記第１トランジスタおよび前記第２トランジスタに出力させた場合、前記デューティ比に応じた出力電圧を前記出力ポートから出力し、
前記第１トランジスタは、前記切替部が前記アナログ信号を前記第１トランジスタに出力させた場合、前記アナログ信号に応じた出力電流を前記出力ポートから出力することを特徴とする集積回路装置。
【請求項７】
前記切替部は、
前記デューティ比信号を前記第１トランジスタに供給するか否かを定める第１スイッチと、
前記アナログ信号を前記第１トランジスタに供給するか否かを定める第２スイッチと、
前記第１スイッチまたは前記第２スイッチのいずれか一方をオンにする回路切替部と
を有することを特徴とする請求項６に記載の集積回路装置。
【請求項８】
前記切替部は、前記出力ポートの出力を、外部の定電圧回路に供給するか否かを定める第３スイッチをさらに有し、
前記回路切替部は、前記第１スイッチをオンにし、且つ前記第２スイッチをオフにするとき、前記第３スイッチをオンにすることを特徴とする請求項７に記載の集積回路装置。
【発明の詳細な説明】
【０００１】
【発明の属する技術分野】
本発明は、定電流回路および定電圧回路を備えた電源供給回路装置に関し、特に、液晶パネルのＬＥＤを点灯させる定電流回路を備えた電源供給回路装置に関する。
【０００２】
【従来の技術】
現在、デジタルカメラや携帯電話などの携帯機器を小型軽量化する試みが盛んに行われている。電池駆動の電子機器の電源部も、ＩＣ化により小型軽量化されつつあるが、さらなる省電力化、省スペース化が要求されている。デジタルカメラは、液晶ディスプレイ（ＬＣＤ）を必須の構成とし、従来のＬＣＤは、バックライトインバータを必要としていた。バックライトインバータの消費電力は、全体の１／３を占め、また、バックライトインバータのために大きなスペースが必要とされていた。
【０００３】
白色ＬＥＤを用いてバックライトを構成することによって、消費電力を、従来の約６０パーセントに抑えることが可能となる。また、インバータ用のトランスが不要となるため、省スペース化を実現することもできる。一方、白色ＬＥＤをバックライトとして利用する場合には、新たに白色ＬＥＤ点灯用の定電流制御回路が必要となる。
【０００４】
特開平７−１０４８７６号公報は、定電流回路の占有面積が少ない定電流回路内臓ＩＣを実現することを目的とする。この目的は、トランジスタ回路における抵抗の占める面積を削減することによって実現される。特開平７−１０４８７６号公報は、ＩＣ内部の基準電流源を対象としており、数１００μＡ程度の電流値しか供給できない。
【０００５】
【発明が解決しようとする課題】
前記文献（特開平７−１０４８７６号公報）に示されるような従来のＩＣに内蔵される定電流回路は、基準電流を供給する基準電流源であって、ＬＥＤを点灯可能な大きな電流を供給することはできない。従来のＬＥＤ点灯用の電流源は、ＩＣ外部に設けられており、大きなスペースが占有されていた。そこで、本発明は、省スペース化を実現することができる定電流回路を備えた電源供給回路装置を提供することを解決すべき課題とする。また、本発明は、定電流回路および定電圧回路の双方を備えた電源供給回路装置を提供することも解決すべき課題とする。この課題は特許請求の範囲における独立項に記載の特徴の組み合わせにより解決される。また従属項は本発明の更なる有利な具体例を規定する。
【０００６】
【課題を解決するための手段】
上記課題を解決するために、本発明の第１の形態は、入力信号に基づいて第１基準電圧源と出力ポートとの導通状態を定める第１トランジスタと、所望のデューティ比を有するデューティ比信号を出力することができる制御部と、デューティ比信号が第１トランジスタに入力された場合に、デューティ比信号のデューティ比に基づいて、出力ポートから出力された出力電圧を用いて、所定の定電圧を生成する定電圧回路と、出力ポートから出力された電流の電流値に対応する対応電圧を与える抵抗体と、対応電圧と、所定の比較電圧とを比較して、その差分に対応するアナログ信号を出力するコンパレータと、デューティ比信号またはアナログ信号の一方を入力信号として、第１トランジスタに出力させる切替部とを備えたことを特徴とする電源供給回路装置を提供する。
【０００７】
電源供給回路装置は、入力信号に基づいて、第２基準電圧源と出力ポートとの導通状態を定める第２トランジスタを備えてもよく、定電圧回路は、デューティ比信号が第１トランジスタおよび第２トランジスタに入力された場合に、出力ポートから出力された出力電圧を用いて、所定の定電圧を生成してもよい。第１基準電圧源は、所定の正電圧を供給し、第２基準電圧源は、アースであってもよい。電源供給回路装置の動作中、第１トランジスタまたは第２トランジスタのいずれか一方が、導通状態となることが好ましい。
【０００８】
切替部は、デューティ比信号を第１トランジスタに供給するか否かを定める第１スイッチと、アナログ信号を第１トランジスタに供給するか否かを定める第２スイッチと、第１スイッチまたは第２スイッチのいずれか一方をオンにする回路切替部とを有してもよい。また、切替部は、出力ポートの出力を、定電圧回路に供給するか否かを定める第３スイッチを備え、回路切替部は、第１スイッチをオンにし、且つ第２スイッチをオフにするとき、第３スイッチをオンにすることが好ましい。
【０００９】
また、本発明の第２の形態は、外部に形成された回路と協働して、定電流を供給する定電流回路を実現するための集積回路装置であって、入力信号に基づいて、第１基準電圧源と出力ポートとの導通状態を定める第１トランジスタと、入力信号に基づいて、第２基準電圧源と出力ポートとの導通状態を定める第２トランジスタと、所望のデューティ比を有するデューティ比信号を出力することができる制御部と、出力ポートから出力された電流の電流値に対応する対応電圧と、所定の比較電圧とを比較して、その差分に対応するアナログ信号を出力するコンパレータと、デューティ比信号またはアナログ信号の一方を入力信号として、第１トランジスタに出力する切替部とを備え、デューティ比信号が第１トランジスタに出力されたときには、デューティ比を有する出力信号が、出力ポートから出力され、アナログ信号が第１トランジスタに出力されたときには、定電流が出力ポートから出力されることを特徴とする集積回路装置を提供する。
【００１０】
切替部は、デューティ比信号を第１トランジスタに供給するか否かを定める第１スイッチと、アナログ信号を第１トランジスタに供給するか否かを定める第２スイッチと、第１スイッチまたは第２スイッチのいずれか一方をオンにする回路切替部とを有してもよい。
【００１１】
なお上記の発明の概要は、本発明の必要な特徴の全てを列挙したものではなく、これらの特徴群のサブコンビネーションも又発明となりうる。
【００１２】
【発明の実施の形態】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【００１３】
図１は実施の形態に係るデジタルカメラ１０の構成を示す。このデジタルカメラ１０は、主に撮像ユニット２０、撮像制御ユニット４０、処理ユニット６０、表示ユニット１００、操作ユニット１１０、および電源ユニット１３０を含む。
【００１４】
電源ユニット１３０は、デジタルカメラ１０の各構成を駆動するための電力を供給する。電源ユニット１３０は、電源供給回路装置１３４およびバックアップ電源装置１３６を有する。電源ユニット１３０には、外部から電池１３２が挿入される。電源供給回路装置１３４は、所要に応じて、デジタルカメラ１０の各構成に供給する定電流または定電圧を選択的に生成することができる。電源供給回路装置１３４は、表示ユニット１００におけるＬＣＤモニタ１０２およびＬＣＤパネル１０４のバックライト用ＬＥＤ１０１に供給する定電流を生成することができる。また、電源供給回路装置１３４は、バックアップ電源１３６に供給する定電圧を生成することもできる。電源供給回路装置１３４の詳細については、図２に関連して説明する。
【００１５】
撮像ユニット２０は、撮影および結像に関する機構部材および電気部材を含む。撮像ユニット２０は、映像を取り込んで処理を施す撮影レンズ２２、絞り２４、シャッタ２６、光学ＬＰＦ（ローパスフィルタ）２８、ＣＣＤ３０、および撮像信号処理部３２を含む。撮影レンズ２２は、フォーカスレンズやズームレンズ等からなる。この構成により、被写体像がＣＣＤ３０の受光面上に結像する。結像した被写体像の光量に応じ、ＣＣＤ３０の各センサエレメント（図示せず）に電荷が蓄積される（以下その電荷を「蓄積電荷」という）。蓄積電荷は、リードゲートパルスによってシフトレジスタ（図示せず）に読み出され、レジスタ転送パルスによって電圧信号として順次読み出される。
【００１６】
デジタルカメラ１０は一般に電子シャッタ機能を有するので、シャッタ２６のような機械式シャッタは必須ではない。電子シャッタ機能を実現するために、ＣＣＤ３０にシャッタゲートを介してシャッタドレインが設けられる。シャッタゲートを駆動すると蓄積電荷がシャッタドレインに掃き出される。シャッタゲートの制御により、各センサエレメントに電荷を蓄積するための時間、すなわちシャッタスピードが制御できる。
【００１７】
ＣＣＤ３０から出力される電圧信号、すなわちアナログ信号は撮像信号処理部３２でＲ、Ｇ、Ｂ成分に色分解され、まずホワイトバランスが調整される。つづいて撮像信号処理部３２はガンマ補正を行い、必要なタイミングでＲ、Ｇ、Ｂ信号を順次Ａ／Ｄ変換し、その結果得られたデジタルの画像データ（以下単に「デジタル画像データ」とよぶ）を処理ユニット６０へ出力する。
【００１８】
撮像ユニット２０はさらに、ファインダ３４とストロボ３６を有する。ファインダ３４には図示しないＬＣＤを内装してもよく、その場合、後述のメインＣＰＵ６２等からの各種情報をファインダ３４内に表示できる。ストロボ３６は、コンデンサ（図示せず）に蓄えられたエネルギが放電管３６ａに供給されたときそれが発光することで機能する。
【００１９】
撮像制御ユニット４０は、ズーム駆動部４２、フォーカス駆動部４４、絞り駆動部４６、シャッタ駆動部４８、それらを制御する撮像系ＣＰＵ５０、測距センサ５２、および測光センサ５４をもつ。ズーム駆動部４２などの駆動部は、それぞれステッピングモータ等の駆動手段を有する。後述のレリーズスイッチ１１４の押下に応じ、測距センサ５２は被写体までの距離を測定し、測光センサ５４は被写体輝度を測定する。測定された距離のデータ（以下単に「測距データ」という）および被写体輝度のデータ（以下単に「測光データ」という）は撮像系ＣＰＵ５０へ送られる。撮像系ＣＰＵ５０は、ユーザから指示されたズーム倍率等の撮影情報に基づき、ズーム駆動部４２とフォーカス駆動部４４を制御して撮影レンズ２２のズーム倍率とピントの調整を行う。
【００２０】
撮像系ＣＰＵ５０は、１画像フレームのＲＧＢのデジタル信号積算値、すなわちＡＥ情報に基づいて絞り値とシャッタスピードを決定する。決定された値にしたがい、絞り駆動部４６とシャッタ駆動部４８がそれぞれ絞り量の調整とシャッタ２６の開閉を行う。
【００２１】
撮像系ＣＰＵ５０はまた、測光データに基づいてストロボ３６の発光を制御し、同時に絞り２６の絞り量を調整する。ユーザが映像の取込を指示したとき、ＣＣＤ３０が電荷蓄積を開始し、測光データから計算されたシャッタ時間の経過後、蓄積電荷が撮像信号処理部３２へ出力される。
【００２２】
処理ユニット６０は、デジタルカメラ１０全体、とくに処理ユニット６０自身を制御するメインＣＰＵ６２と、これによって制御されるメモリ制御部６４、ＹＣ処理部７０、オプション装置制御部７４、圧縮伸張処理部７８、通信Ｉ／Ｆ部８０を有する。メインＣＰＵ６２は、シリアル通信などにより、撮像系ＣＰＵ５０との間で必要な情報をやりとりする。メインＣＰＵ６２の動作クロックは、クロック発生器８８から与えられる。クロック発生器８８は、撮像系ＣＰＵ５０、表示ユニット１００に対してもそれぞれ異なる周波数のクロックを提供する。
【００２３】
メインＣＰＵ６２には、キャラクタ生成部８４とタイマ８６が併設されている。タイマ８６はバックアップ電源１３６でバックアップされ、つねに日時をカウントしている。このカウント値から撮影日時に関する情報、その他の時刻情報がメインＣＰＵ６２に与えられる。キャラクタ生成部８４は、撮影日時、タイトル等の文字情報を発生し、この文字情報が適宜撮影画像に合成される。
【００２４】
メモリ制御部６４は、不揮発性メモリ６６とメインメモリ６８を制御する。不揮発性メモリ６６は、ＥＥＰＲＯＭ（電気的消去およびプログラム可能なＲＯＭ）やＦＬＡＳＨメモリなどで構成され、ユーザーによる設定情報や出荷時の調整値など、デジタルカメラ１０の電源がオフの間も保持すべきデータが格納されている。不揮発性メモリ６６には、場合によりメインＣＰＵ６２のブートプログラムやシステムプログラムなどが格納されてもよい。一方、メインメモリ６８は一般にＤＲＡＭのように比較的安価で容量の大きなメモリで構成される。メインメモリ６８は、撮像ユニット２０から出力されたデータを格納するフレームメモリとしての機能、各種プログラムをロードするシステムメモリとしての機能、その他ワークエリアとしての機能をもつ。不揮発性メモリ６６とメインメモリ６８は、処理ユニット６０内外の各部とメインバス８２を介してデータのやりとりを行う。
【００２５】
ＹＣ処理部７０は、デジタル画像データにＹＣ変換を施し、輝度信号Ｙと色差（クロマ）信号Ｂ−Ｙ、Ｒ−Ｙを生成する。輝度信号と色差信号はメモリ制御部６４によってメインメモリ６８に一旦格納される。圧縮伸張処理部７８はメインメモリ６８から順次輝度信号と色差信号を読み出して圧縮する。こうして圧縮されたデータ（以下単に「圧縮データ」という）は、オプション装置制御部７４を介してオプション装置７６の一種であるメモリカードへ書き込まれる。
【００２６】
処理ユニット６０はさらにエンコーダ７２をもつ。エンコーダ７２は輝度信号と色差信号を入力し、これらをビデオ信号（ＮＴＳＣやＰＡＬ信号）に変換してビデオ出力端子９０から出力する。オプション装置７６に記録されたデータからビデオ信号を生成する場合、そのデータはまずオプション装置制御部７４を介して圧縮伸張処理部７８へ与えられる。つづいて、圧縮伸張処理部７８で必要な伸張処理が施されたデータはエンコーダ７２によってビデオ信号へ変換される。
【００２７】
オプション装置制御部７４は、オプション装置７６に認められる信号仕様およびメインバス８２のバス仕様にしたがい、メインバス８２とオプション装置７６の間で必要な信号の生成、論理変換、または電圧変換などを行う。デジタルカメラ１０は、オプション装置７６として前述のメモリカードのほかに、例えばＰＣＭＣＩＡ準拠の標準的なＩ／Ｏカードをサポートしてもよい。その場合、オプション装置制御部７４は、ＰＣＭＣＩＡ用バス制御ＬＳＩなどで構成してもよい。
【００２８】
通信Ｉ／Ｆ部８０は、デジタルカメラ１０がサポートする通信仕様、たとえばＵＳＢ、ＲＳ−２３２Ｃ、イーサネットなどの仕様に応じたプロトコル変換等の制御を行う。通信Ｉ／Ｆ部８０は、必要に応じてドライバＩＣを含み、ネットワークを含む外部機器とコネクタ９２を介して通信する。そうした標準的な仕様のほかに、例えばプリンタ、カラオケ機、ゲーム機等の外部機器との間で独自のＩ／Ｆによるデータ授受を行う構成としてもよい。
【００２９】
表示ユニット１００は、ＬＣＤモニタ１０２およびＬＣＤパネル１０４を有する。ＬＣＤモニタ１０２およびＬＣＤパネル１０４は、ＬＣＤドライバであるモニタドライバ１０６、パネルドライバ１０８によってそれぞれ制御される。本実施形態において、ＬＣＤモニタ１０２およびＬＣＤパネル１０４は、バックライトとして白色ＬＥＤ１０１を利用する。ＬＥＤ１０１は、電源ユニット１３０における電源供給回路装置１３４から定電流を供給される。ＬＣＤモニタ１０２は、例えば２インチ程度の大きさでカメラ背面に設けられ、現在の撮影や再生のモード、撮影や再生のズーム倍率、電池残量、日時、モード設定のための画面、被写体画像などを表示する。ＬＣＤパネル１０４は例えば小さな白黒ＬＣＤでカメラ上面に設けられ、画質（ＦＩＮＥ／ＮＯＲＭＡＬ／ＢＡＳＩＣなど）、ストロボ発光／発光禁止、標準撮影可能枚数、画素数、電池容量などの情報を簡易的に表示する。
【００３０】
操作ユニット１１０は、ユーザーがデジタルカメラ１０の動作やそのモードなどを設定または指示するために必要な機構および電気部材を含む。パワースイッチ１１２は、デジタルカメラ１０の電源のオンオフを決める。レリーズスイッチ１１４は、半押しと全押しの二段階押し込み構造になっている。一例として、半押しでＡＦおよびＡＥがロックし、全押しで撮影画像の取込が行われ、必要な信号処理、データ圧縮等の後、メインメモリ６８、オプション装置７６等に記録される。操作ユニット１１０はこれらのスイッチの他、回転式のモードダイヤルや十字キーなどによる設定を受け付けてもよく、それらは図１において機能設定部１１６と総称されている。操作ユニット１１０で指定できる動作または機能の例として、「ファイルフォーマット」、「特殊効果」、「印画」、「決定／保存」、「表示切換」等がある。ズームスイッチ１１８は、ズーム倍率を決める。
【００３１】
以上の構成による主な動作は以下のとおりである。
【００３２】
まずデジタルカメラ１０のパワースイッチ１１２がオンされ、電源ユニット１３０から、カメラ各部に電力が供給される。メインＣＰＵ６２は、機能設定部１１６の状態を読み込むことで、デジタルカメラ１０が撮影モードにあるか再生モードにあるかを判断する。
【００３３】
カメラが撮影モードにあるとき、メインＣＰＵ６２はレリーズスイッチ１１４の半押し状態を監視する。半押し状態が検出されたとき、メインＣＰＵ６２は測光センサ５４および測距センサ５２からそれぞれ測光データと測距データを得る。得られたデータに基づいて撮像制御ユニット４０が動作し、撮影レンズ２２のピント、絞りなどの調整が行われる。調整が完了すると、ＬＣＤモニタ１０２に「スタンバイ」などの文字を表示してユーザーにその旨を伝え、つづいてレリーズスイッチ１１４の全押し状態を監視する。レリーズスイッチ１１４が全押しされると、所定のシャッタ時間をおいてシャッタ２６が閉じられ、ＣＣＤ３０の蓄積電荷が撮像信号処理部３２へ掃き出される。撮像信号処理部３２による処理の結果生成されたデジタル画像データはメインバス８２へ出力される。デジタル画像データは一旦メインメモリ６８へ格納され、この後ＹＣ処理部７０と圧縮伸張処理部７８で処理を受け、オプション装置制御部７４を経由してオプション装置７６へ記録される。記録された画像は、フリーズされた状態でしばらくＬＣＤモニタ１０２に表示され、ユーザーは撮影画像を知ることができる。以上で一連の撮影動作が完了する。
【００３４】
一方、デジタルカメラ１０が再生モードの場合、メインＣＰＵ６２は、メモリ制御部６４を介してメインメモリ６８から最後に撮影した画像を読み出し、これを表示ユニット１００のＬＣＤモニタ１０２へ表示する。この状態でユーザーが機能設定部１１６にて「順送り」、「逆送り」を指示すると、現在表示している画像の前後に撮影された画像が読み出され、ＬＣＤモニタ１０２へ表示される。
【００３５】
図２は、本発明による電源供給回路装置１３４の回路図である。電源供給回路装置１３４は、制御部１５０、定電流回路１７０、定電圧回路１９０および切替部を備える。図２において、ラインＡ−Ａの左側は、集積回路（ＩＣ）内部の構成であり、右側は、集積回路（ＩＣ）外部の構成である。電源供給回路装置１３４は、液晶モニタ（パネル）のバックライト用ＬＥＤ１０１に定電流を供給することができる定電流回路１７０の機能と、定電圧を供給することができる定電圧回路１９０の機能とを合わせ持っている。電源供給回路装置１３４が定電圧回路として用いられるとき、トランジスタ１６２は、スイッチング素子として機能する。
【００３６】
制御部１５０は、トランジスタ１５２、ＡＮＤゲート１５６、およびデューティ比制御部１５４を有する。制御部１５０は、定電流回路１７０または定電圧回路１９０のいずれを選択するかを指示する選択信号を、メインＣＰＵ６２（図１参照）から供給される。選択信号は、トランジスタ１５２に供給される。トランジスタ１５２は、ｎｐｎ型であり、選択信号に基づいてコレクタから出力信号を、ＡＮＤゲート１５６に出力する。デューティ比制御部１５４は、ＡＮＤゲート１５６から出力される信号のデューティ比を制御するために、所望のデューティ比を有するデューティ比信号をＡＮＤゲート１５６に出力する。ＡＮＤゲート１５６には、別の制御信号が出力されてもよい。
【００３７】
トランジスタ１７２は、トランジスタ１６２とともに、スイッチング回路を実現することができる。図示される構成において、トランジスタ１７２はｐｎｐ型であり、トランジスタ１６２はｎｐｎ型であるが、別の実施例では、トランジスタ１７２と１６２とが同型であって、いずれか一方のトランジスタ１７２又は１６２が、入力の前段にインバータを有していてもよい。
【００３８】
トランジスタ１７２は、ベースに入力された入力信号に基づいて、第１基準電圧源と出力ポート１８２との導通状態を定める。また、トランジスタ１６２は、ベースに入力された入力信号に基づいて、第２基準電圧源と出力ポート１８２との導通状態を定める。図示されるように、トランジスタ１７２のエミッタは、集積回路装置（ＩＣ）外部に設けられたＬＥＤ用電源に接続されている。また、トランジスタ１６２のエミッタは接地されている。本実施例では、トランジスタ１７２は、ＬＥＤ用電源と出力ポート１８２との導通状態を定め、トランジスタ１６２は、アースと出力ポート１８２との導通状態を定める。スイッチ１６４がオンであり、スイッチ１８０がオフであるとき、並列に接続されたトランジスタ１７２および１６２は、スイッチング回路として機能し、ＡＮＤゲート１５６から供給されるデューティ比信号に基づいて、トランジスタ１７２または１６２のいずれか一方が導通する。
【００３９】
定電流回路１７０は、上述したトランジスタ１７２、抵抗体１７４、誤差増幅器１７６および比較電圧源１７８を有する。電源供給回路装置１３４が定電流回路１７０として機能するとき、トランジスタ１７２は、スイッチング回路における一つのスイッチング素子としてではなく、誤差増幅器１７６の出力に応じてコレクタ出力を変動させる定電流制御用素子として機能する。本実施形態におけるトランジスタ１７２は、このように、スイッチング素子または定電流制御用素子のいずれかとして利用できることを特徴とする。抵抗体１７４は、所定の抵抗値Ｒを有し、出力ポート１８２から出力された電流の電流値に対応する対応電圧を与えるために設けられる。すなわち、抵抗体１７４は、出力ポート１８２から出力された電流の電流値をモニタし、モニタした電流値に対応する電圧を示すことができる。この対応電圧は、コンパレータである誤差増幅器１７６の反転入力に入力される。また、誤差増幅器１７６の非反転入力には、比較電圧源１７８から所定の比較電圧Ｖrefを有する電圧信号が供給される。誤差増幅器１７６は、対応電圧と、比較電圧Ｖrefとを比較して、その差分に対応するアナログ信号を出力する。
【００４０】
定電圧回路１９０は、フィルタ１９２、トランジスタ１９４、保護回路１９６および抵抗体１９８、２００を有する。フィルタ１９２は、コイルとコンデンサから構成される。定電圧回路１９０は、出力ポート１８２から出力された出力電圧を用いて、所定の定電圧を生成することができる。
【００４１】
スイッチ１６６がオンであるとき、トランジスタ１９４は、出力ポート１８２から電圧信号を受け取る。トランジスタ１９４は、電圧信号に基づいてゲートを開閉し、フィルタ１９２のコンデンサは、ゲートの開閉に基づいて荷電される。コンデンサの電圧は、抵抗体１９８および２００により分圧されて、デューティ比制御部１５４にフィードバックされる。デューティ比制御部１５４は、フィードバックされた電圧に基づいて、スイッチング回路を構成するトランジスタ１６２および１７２に供給するデューティ比信号のデューティ比を所望のものに調整する。
【００４２】
切替部は、定電流／定電圧回路切替部１６０、およびスイッチ１６４、１６６、１８０を有する。スイッチ１６４は、制御部１５０から出力されるデューティ比信号をトランジスタ１７２に供給するか否かを定める機能を有する。スイッチ１８０は、誤差増幅器１７６から出力されるアナログ信号をトランジスタ１７２に供給するか否かを定まる機能を有する。また、スイッチ１６６は、出力ポート１８２の出力を、定電圧回路１９０に供給するか否かを定める機能を有する。切替部は、トランジスタ１５２からの出力信号に基づいて、定電流回路１７０または定電圧回路１９０のいずれか一方の機能を選択的に実現させることができる。具体的には、定電流／定電圧回路切替部１６０が、トランジスタ１５２から出力信号を受け取って、スイッチ１６４、１６６、１８０のオン／オフを行うことによって、電源供給回路装置１３４を、定電流回路または定電圧回路として機能させる。
【００４３】
電源供給回路装置１３４を定電流回路として用いるときには、スイッチ１６４および１６６がオフにされ、スイッチ１８０がオンにされる。このとき、アナログ信号がトランジスタ１７２に供給され、デューティ比信号はトランジスタ１７２に供給されない。逆に、電源供給回路装置１３４を定電圧回路として用いるときには、スイッチ１６４および１６６がオンにされ、スイッチ１８０がオフにされる。このとき、デューティ比信号がトランジスタ１７２に供給され、アナログ信号はトランジスタ１７２に供給されない。このように、切替部は、デューティ比信号またはアナログ信号の一方を、トランジスタ１７２の入力信号として、トランジスタ１７２に出力させる機能を有する。
【００４４】
本実施形態における電源供給回路装置１３４の具体的な動作について説明する。まず、電源供給回路装置１３４を、定電流回路または定電圧回路のいずれとして用いるかを定める選択信号が、制御部１５０のトランジスタ１５２のベースに入力される。以下に、選択信号が、Ｈ（ハイ）である場合と、Ｌ（ロー）である場合とに分けて説明を行う。
【００４５】
選択信号が論理値Ｈのとき、トランジスタ１５２がオンになり導通する。その結果、トランジスタ１５２のエミッタが接地されているので、論理値Ｌのコレクタ出力が、ＡＮＤゲート１５６および定電流／定電圧回路切替部１６０に供給される。ＡＮＤゲート１５６は、常に論理値Ｌを出力し、トランジスタ１６２は、オフとなる。
【００４６】
切替部は、電源供給回路装置１３４を定電流回路として機能させるべく、各スイッチの切替を行う。定電流／定電圧回路切替部１６０は、論理値Ｌのトランジスタ１５２の出力を受け取ると、スイッチ１６４および１６６をオフにし、スイッチ１８０をオンにする。
【００４７】
トランジスタ１７２は、ベースに入力される入力信号に基づいて、第１基準電圧源と出力ポート１８２との導通状態を定める。また、出力ポート１８２から出力された電流の電流値に対応する対応電圧が、所定の抵抗値Ｒを有する抵抗体１７４により与えられる。この対応電圧は、誤差増幅器１７６において所定の比較電圧Ｖrefと比較される。誤差増幅器は、対応電圧と、比較電圧Ｖrefとを比較して、その差分に対応するアナログ信号を出力する。アナログ信号は、入力信号として、トランジスタ１７２のベースに入力される。対応電圧と、比較電圧Ｖrefに差があると、対応電圧と比較電圧Ｖrefとが等しくなるように、誤差増幅器１７６がアナログ信号のレベルを調整する。その結果、出力ポート１８２からは、Ｖref／Ｒの電流値を示す一定の電流が出力される。
【００４８】
このようにして、本実施形態による電源供給回路装置１３４は、選択信号が論理値Ｈのときに、定電流回路として機能することができる。このように生成された定電流は、ＬＥＤ１０１に供給されて、ＬＥＤ１０１の安定した動作を実現させる。
【００４９】
次に、選択信号が論理値Ｌのときには、トランジスタ１５２がオフとなり、その結果、ＡＮＤゲート１５６および定電流／定電圧回路切替部１６０には、論理値Ｈの信号が供給される。
【００５０】
切替部は、電源供給回路装置１３４を定電圧回路として機能させるべく、各スイッチの切替を行う。定電流／定電圧回路切替部１６０は、論理値Ｈの信号を受け取ると、スイッチ１６４および１６６をオンにし、スイッチ１８０をオフにする。
【００５１】
トランジスタ１７２は、ベースに入力される入力信号に基づいて、第１基準電圧源と出力ポート１８２との導通状態を定める。また、トランジスタ１６２は、ベースに入力される入力信号に基づいて、アースと出力ポート１８２との導通状態を定める。デューティ比制御部１５４が、ＡＮＤゲート１５６に、所望のデューティ比を有するデューティ比信号を出力する。ＡＮＤゲート１５６は、このデューティ比信号を、トランジスタ１７２および１６２に出力する。
【００５２】
図示された構成によると、トランジスタ１７２は、論理値Ｌでオンになり、トランジスタ１６２は、論理値Ｈでオンとなる。トランジスタ１７２は、トランジスタ１６２とともにスイッチング回路を構成し、電源供給回路装置１３４の動作中、トランジスタ１７２またはトランジスタ１６２のいずれか一方が導通状態となる。従って、出力ポート１８２からは、デューティ比信号のデューティ比に基づいて、トランジスタ１７２または１６２の一方の出力が、定電圧回路１９０に供給される。このとき、デューティ比信号と同一のデューティ比を有する信号が、出力ポート１８２から出力される。定電圧回路１９０は、このデューティ比に基づいて、出力ポート１８２から出力された出力電圧を用いて、出力端子２０２から所定の定電圧を出力する。
【００５３】
このようにして、本実施形態による電源供給回路装置１３４は、選択信号が論理値Ｌのときに、定電圧回路として機能することができる。このようにして生成された定電圧は、例えば、バックアップ電源１３６に供給されてもよい。
【００５４】
電源供給回路装置１３４は、デジタルカメラに組み込まれた場合、デジタルカメラの動作時には、ＬＥＤ１０１を点灯させる定電流回路として機能し、動作終了時には、バックアップ電源１３６に定電圧を供給する定電圧回路として機能してもよい。また、本発明による電源供給回路装置１３４は、デジタルカメラだけでなく、液晶パネルを備えた携帯機器、または、他の装置に対しても用いられることが可能である。
【００５５】
上記説明から明らかなように、本発明によれば、定電流回路および定電圧回路を組み込んだ電源供給回路装置を提供することができる。以上、本発明を実施の形態を用いて説明したが、本発明の技術的範囲は上記実施の形態に記載の範囲には限定されない。上記実施形態に、多様な変更又は改良を加えることができることが当業者に明らかである。その様な変更又は改良を加えた形態も本発明の技術的範囲に含まれることが、特許請求の範囲の記載から明らかである。
【００５６】
【発明の効果】
本発明によると、定電流回路または定電圧回路を切り替えて使用することができる電源供給回路装置を提供することができる、という効果を奏する。
【図面の簡単な説明】
【図１】実施の形態に係るデジタルカメラ１０の構成を示す。
【図２】本発明による電源供給回路装置１３４の回路図である。
【符号の説明】
１０・・・デジタルカメラ、２０・・・撮像ユニット、２２・・・撮影レンズ、２４・・・絞り、２６・・・シャッタ、２８・・・光学ＬＰＦ、３０・・・ＣＣＤ、３２・・・撮像信号処理部、３４・・・ファインダ、３６・・・ストロボ、３６ａ・・・放電管、４０・・・撮像制御ユニット、４２・・・ズーム駆動部、４４・・・フォーカス駆動部、４６・・・絞り駆動部、４８・・・シャッタ駆動部、５０・・・撮像系ＣＰＵ、５２・・・測距センサ、５４・・・測光センサ、６０・・・処理ユニット、６２・・・メインＣＰＵ、６４・・・メモリ制御部、６６・・・不揮発性メモリ、６８・・・メインメモリ、７０・・・ＹＣ処理部、７２・・・エンコーダ、７４・・・オプション装置制御部、７６・・・オプション装置、７８・・・圧縮伸張処理部、８０・・・通信Ｉ／Ｆ部、８２・・・メインバス、８４・・・キャラクタ生成部、８６・・・タイマ、８８・・・クロック発生器、９０・・・ビデオ出力端子、９２・・・コネクタ、１００・・・表示ユニット、１０１・・・ＬＥＤ、１０２・・・ＬＣＤモニタ、１０４・・・ＬＣＤパネル、１０６・・・モニタドライバ、１０８・・・パネルドライバ、１１０・・・操作ユニット、１１２・・・パワースイッチ、１１４・・・レリーズスイッチ、１１６・・・機能設定部、１１８・・・ズームスイッチ、１３０・・・電源ユニット、１３２・・・電池、１３４・・・定電流／定電圧回路装置、１３６・・・バックアップ電源、１５０・・・制御部、１５２・・・トランジスタ、１５４・・・デューティ比制御部、１５６・・・ＡＮＤゲート、１６０・・・定電流／定電圧切替部、１６２・・・トランジスタ、１６４・・・スイッチ、１６６・・・スイッチ、１７０・・・定電流回路、１７２・・・トランジスタ、１７４・・・抵抗体、１７６・・・誤差増幅器、１７８・・・比較電圧源、１８０・・・スイッチ、１８２・・・出力ポート、１９０・・・定電圧回路、１９２・・・フィルタ、１９４・・・トランジスタ、１９６・・・保護回路、１９８・・・２００・・・抵抗体、２０２・・・出力端子
【図１】
0003837000.tif 000002
【図２】
0003837000.tif 000003